(57)【要約】【課題】熱源シートの損傷を防止し、熱源シートをずれにくい状態で仮固定でき、フロア材の固定が容易な床暖房用フロア材の施工方法を提供する。【解決手段】床下地材Ｓ上に、アルミシート２から温水パイプ３が突出している温水シート１を敷設し、温水シート１上に温水パイプ３が挿入される下方に開口した溝部１５〜１７を有するフロア材１０を載置し固定する施工方法であり、温水パイプが挿入される下方に開口した多数の平行溝２２を形成した棒状の仮固定具２０を用意し、平行溝２２に温水パイプ３を挿入するようにして仮固定具を温水シート上に載置し、仮固定具の上方から留めねじ２５を貫通して仮固定具を床下地材に固定し温水シートを床下地材と仮固定具で挟んで床下地材上に仮固定し、温水シート上にフロア材を固定する。さらに、仮固定具を取外してその位置にフロア材を固定する。【選択図】  図４
2004257079.tif 000002
【特許請求の範囲】
【請求項１】
床下地材上に、基材シートから温水パイプあるいは熱線ヒータである熱源部が突出している熱源シートを敷設し、前記熱源シート上に前記熱源部が挿入される下方に開口した溝部を有するフロア材を載置し固定する床暖房用フロア材の施工方法であって、
前記熱源部が挿入される下方に開口した溝部を形成した棒状の仮固定具を用意し、前記溝部に前記熱源部を挿入するように前記仮固定具を床下地材上に敷設した熱源シート上に載置する工程と、前記仮固定具を前記床下地材に固定することにより前記熱源シートを前記床下地材と該仮固定具で挟んで仮固定する工程と、前記熱源シート上にフロア材を固定する工程と、前記仮固定具を取外して当該取外した位置にフロア材を固定する工程とを備えることを特徴とする床暖房用フロア材の施工方法。
【請求項２】
前記熱源シートは、前記熱源部を避けた位置に前記基材シートを貫通する貫通部を有しており、前記仮固定する工程は、前記貫通部に留め具を通して前記仮固定具を床下地材に固定することを特徴とする請求項１に記載の床暖房用フロア材の施工方法。
【請求項３】
床下地材上に、基材シートから温水パイプあるいは熱線ヒータである熱源部が突出している熱源シートを敷設し、前記熱源シート上に前記熱源部が挿入される下方に開口した溝部を有するフロア材を載置し固定する床暖房用フロア材の施工で使用する熱源シートの仮固定具であって、
該仮固定具は棒状体より形成され、前記熱源部が挿入される溝部が平行に多数形成されていることを特徴とする床暖房用フロア材の施工方法で使用する熱源シートの仮固定具。
【発明の詳細な説明】
【０００１】
【発明の属する技術分野】
本発明は、床暖房装置に使用するフロア材の施工方法に係り、特に、熱源シートを決められた位置に確実に仮固定でき、施工が容易な床暖房用フロア材の施工方法と、それに使用する熱源シートの仮固定具に関する。
【０００２】
【従来の技術】
従来、この種の床暖房装置に使用するフロア材の施工方法としては、フロア材を固定する前に温水シート等の熱源シートを床暖房位置に合わせて仮固定する。温水シートは例えばアルミニウム箔とプラスチックシートを積層した基材シートから突出した状態で温水が循環する配管を旋回させている。この仮固定は、例えば温水シートの四隅に仮固定用の孔をあけておき、温水シートを四方に引っ張って仮固定用の孔に木ねじを通してねじ込むか、温水シートの四隅にタッカーを打ち込んで固定している。
【０００３】
【発明が解決しようとする課題】
前記のように温水シートを仮固定したとき、温水シートの基材シートにしわが生じてしまったときには、一方を固定したシート部分を引っ張ってしわを伸ばしていたので、固定部分のシートに大きな孔や切れ込みが生じることがあり、場合によってはシート部分が破断してしまうこともあった。そして、孔が開いて固定力が弱くなった場合、フロア材を固定するときに温水シートが移動してしまい、最後までフロア材の溝に温水シートの温水パイプを収めることができなくなることもあった。また、温水シート上にフロア材を固定するとき、温水シートは外周のみで仮固定されていると移動しやすいという問題点もあった。
【０００４】
本発明は、このような問題に鑑みてなされたものであって、その目的とするところは、温水シート等の熱源シートを確実に仮固定できる床暖房用フロア材の施工方法を提供することにある。また、仮固定された熱源シートは引っ張った状態で仮固定されないため基材シートが破断する等の損傷を防止でき、しわが生じない状態で仮固定できるので上部にフロア材を安定した状態で施工できるフロア材の施工方法を提供することにある。
【０００５】
【課題を解決するための手段】
前記目的を達成すべく、本発明に係る床暖房用フロア材の施工方法は、床下地材上に、基材シートから温水パイプあるいは熱線ヒータである熱源部が突出している熱源シートを敷設し、熱源シート上に熱源部が挿入される下方に開口した溝部を有するフロア材を載置し固定する施工方法であって、熱源部が挿入される下方に開口した溝部を形成した棒状の仮固定具を用意し、溝部に熱源部を挿入するように仮固定具を床下地材上に敷設した熱源シート上に載置する工程と、仮固定具を床下地材に固定することにより熱源シートを床下地材と仮固定具で挟んで仮固定する工程と、熱源シート上にフロア材を固定する工程と、仮固定具を取外して取外した位置にフロア材を固定する工程とを備えることを特徴とする。フロア材を１枚固定すると、熱源シートはこのフロア材で固定されるため仮固定具を外し、次々にフロア材を固定して温水シート上部をフロア材で覆うことができる。
【０００６】
前記のごとく構成された本発明の床暖房用フロア材の施工方法は、熱源シートを床下地材上に載置し、仮固定具の溝部に熱源部を挿入させて仮固定具の下端面を基材シートに対接させた状態で熱源シートを横切るように仮固定するため、基材シートがしわになりにくく、また広い面積で挟んで仮固定するため固定部分に大きな力がかからず仮固定状態が安定し、フロア材を固定するときに熱源シートが移動しにくく、フロア材を安定して施工することができる。
【０００７】
また、本発明に係る床暖房用フロア材の施工方法の好ましい具体的な態様としては、前記熱源シートは、熱源部を避けた位置に基材シートを貫通する貫通部を有しており、仮固定する工程は貫通部に留めねじ等の留め具を通して仮固定具を床下地材に固定することを特徴としている。この構成によれば、仮固定具の上方から貫通部を通して留め具で仮固定することにより、仮固定具の両端部と中央部を留め具で固定できるため、熱源シートをより安定した状態で仮固定できるのでフロア材の施工が容易となる。特に熱源シートが大型の場合、仮固定具の両端部と中央の任意の個所を留め具で固定できるため、フロア材施工の際に熱源シートがずれることを確実に防止できる。
【０００８】
さらに、本発明に係る熱源シートの仮固定具は、床下地材上に、基材シートから温水パイプあるいは熱線ヒータである熱源部が突出している熱源シートを敷設し、熱源シート上に熱源部が挿入される下方に開口した溝部を有するフロア材を載置し固定する床暖房用フロア材の施工で使用する熱源シートの仮固定具であって、この仮固定具は棒状体より形成され、熱源部が挿入される溝部が平行に多数形成されていることを特徴としている。特に、下端面が平坦で基材シートを均一に押えるものが好ましい。
【０００９】
このように構成された熱源シートの仮固定具は、床暖房用フロア材を施工するときに熱源シートを広い面積で挟んで床下地材上に確実に仮固定できるため、仮固定の際に熱源シートの損傷を防止できると共に仮固定後の移動を防止でき、熱源シート上へのフロア材の張り付け固定の施工を容易に行える。
【００１０】
【発明の実施の形態】
以下、本発明に係る床暖房用フロア材の施工方法の一実施形態を図面に基づき詳細に説明する。図１は、本実施形態に係るフロア材の施工方法で仮固定される熱源シートである温水シートの斜視図と、そのＡ−Ａ線に沿う断面図、図２は、本施工方法で固定されるフロア材を示し、（ａ）は正面図、（ｂ）は平行溝付フロア材の長辺方向に沿う断面図、（ｃ）は（ｂ）の背面図、図３は、２種類の旋回溝付フロア材の背面図である。
【００１１】
図１〜３において、熱源シートである温水シート１は、アルミニウム箔や樹脂等の基材シートとして例えばアルミシート２から、熱源部として温水パイプ３が突出し、被覆シート４で被覆されており、温水パイプ３は、並列する複数の直線熱源部５と、直線熱源部を連結する曲線熱源部６とを有している。すなわち、直線熱源部５の端部は曲線熱源部６で連結され、温水シート１の広い範囲を加熱できるように温水パイプ３が蛇行した状態で敷設されている。基材シートを構成するアルミシート２及び被覆シート４の厚さは、０．１〜０．２ｍｍ程度に設定される。
【００１２】
温水パイプ３の直線熱源部５のピッチ（Ｐ）は７５ｍｍ程度に設定され、両端のピッチは（Ｐ／２）に設定され、温水パイプ３の外径は５〜８ｍｍ程度に設定されている。温水パイプ３の２つの端部３ａには、図示していないコネクタ等が接続され、給湯器等の熱源器に接続される。アルミシート２には直線熱源部５に沿って所定の間隔でアルミカット部７が形成されている。このアルミカット部７は床下地材Ｓとフロア材１０とを接着剤で固定すると共に、釘等を打ち込むためもので、アルミシート２及び被覆シート４を貫通している。
【００１３】
温水シート１上に載置固定されるフロア材１０は、長辺方向に沿って雄実１１と雌実１２が形成され、同様に短辺方向にも雄実１３と雌実１４が形成されている。雌実１４は、凹部の下方が長辺方向に突出する、あご出し実となっているが、あご出し実でなくてもよいことは勿論である。したがって、フロア材１０は、前記の雄実１１，１３と雌実１２，１４とを嵌合させて広い面積にわたって施工することができるものである。フロア材１０は、温水シート１の上部でない部分に固定されるもので、背面側に溝は形成されていない。
【００１４】
フロア材のうち、温水シート１上に固定されるフロア材には温水パイプ３が挿入される下方に開口した溝部が形成される。図２ｂ，ｃに示されるフロア材１０Ａは、直線熱源部５が挿入されるための平行溝部１５が直線熱源部５と同様のピッチＰで形成され、フロア材１０Ａの両短辺と第一の溝部との間隔は前記のピッチの半分（Ｐ／２）に設定されている。
【００１５】
図３ａに示されるフロア材１０Ｂは、温水シート１の一端の曲線熱源部６が挿入される旋回溝部１６が形成され、図３ｂに示されるフロア材１０Ｃは、温水シートの他端の曲線熱源部６が挿入される旋回溝部１７が形成されている。旋回溝部１６，１７の開口端部のピッチは、前記のピッチＰに設定され、フロア材の両短辺と第一の溝部との間隔は前記のピッチの半分（Ｐ／２）に設定されている。背面に溝を有するフロア材１０Ａ〜１０Ｃは、溝のないフロア材１０と同じ形状の実１１〜１４が形成されており、どのフロア材の実も係合して順次固定できる。このため、フロア材１０Ａ〜１０Ｃは、長辺方向に連続して施工したときでも各溝部１５〜１７の間隔は等しくなって、同一ピッチとなる。
【００１６】
なお、上方に湾曲する曲線熱源部と、下方に湾曲する曲線熱源部の両方を挿入できる旋回溝部を形成したフロア材（図示せず）を用いることもできる。また、平行溝部を有するフロア材１０Ｂに溝加工を施し、隣接する溝部を連結する湾曲溝部や複数の溝を跨いで横断溝部を形成して図３ａ，ｂと同じ機能を有するフロア材としてもよい。また、曲線熱源部は温水シート１に合わせて二重としているが、曲線熱源部を一重とし、旋回溝部を一重としてもよい。
【００１７】
つぎに、温水シート１を床下地材Ｓ上に仮固定する仮固定具２０について、図４を参照して説明する。図４ａは仮固定具の斜視図、図４ｂは温水シート１を図４ａの仮固定具で挟んで仮固定する斜視図である。この仮固定具２０は、幅が３０〜５０ｃｍ程度で長さが１．５〜２ｍ程度である断面が長方形の木材等の棒状体２１から形成され、長手方向と直交する方向に多数の平行溝２２が下方に開口して形成され、下端面２３は平坦となっている。
【００１８】
この平行溝２２は温水パイプ３が確実に挿入される大きさ（幅と深さが１０〜１５ｍｍ程度）を有しており、温水パイプ３のピッチＰと同じピッチ、例えば７５ｍｍのピッチで形成されている。このため、仮固定具の下端面２３は温水シート１のアルミシート２上面と広い面積で対接することができるように構成されている。仮固定具２０には複数の固定孔２４が形成されており、この固定孔に留め具として釘や留めねじ２５を貫通させ、床下地材Ｓに仮固定具２０を固定することができる。仮固定具の中央部の固定孔は、アルミシート２の貫通部であるアルミカット部７に対応して形成されている。
【００１９】
この仮固定具２０は、使用する温水シート１の大きさに合わせて複数の長さを有するものを用意すると好適であるが、温水シートの幅より小さい長さの仮固定具を使用し、温水シートの外側の両端を固定せずに、温水シート上部の固定孔のみを用いて留め具をアルミカット部に貫通させ、温水シートの端部をフリーの状態として固定することもできる。
【００２０】
前記の如く構成された本実施形態の床暖房用フロア材の施工方法について、図５，６を参照して以下に説明する。温水床暖房装置に使用するフロア材１０を施工するときは、先ず床下地材Ｓ上の所定の位置に温水シート１を載置する。例えば、部屋の端部Ｔから所定の距離Ｄだけ離して温水シート１を載置する。載置したアルミシート２にしわが発生した場合は、アルミシート２の端部を緩く引っ張って自然な状態とすると、しわは自然に無くなりアルミシート２に張力が掛らない平坦な状態となる。
【００２１】
このように敷設した状態で、仮固定具２０の平行溝２２に温水パイプ３を対応させて溝を下向きにして、仮固定具２０を温水シート１上に載置すると温水パイプ３は平行溝２２内に位置する。そして、固定孔２４に留めねじ２５を通して床下地材Ｓにねじ込む。これにより温水シート１は、仮固定具の下端面２３と床下地材Ｓとでアルミシート２を挟んで仮固定することができる。温水シート１が小さい場合は１本の仮固定具で十分固定できるが、温水シートが大きい場合は複数本の仮固定具を平行に固定することが好ましい。
【００２２】
従来のように温水シート１を引っ張った状態で四隅を留めて仮固定するのと異なり、アルミシート２に張力が掛らない自然な状態で仮固定具２０の下端面２３と床下地材Ｓとの広い面積で挟み、温水シート１の外周辺と平行な横切る方向で固定するため、仮固定状態が格段に安定する。このため、基材のアルミシート２が変形や破断することを防止できると共に、温水シート１がずれにくいためフロア材１０の固定も容易に施工できる。
【００２３】
フロア材１０を床下地材Ｓに固定するときは、例えばアルミカット部７に対応する雄実１１の部分に釘を例えば４５度の方向で打ち込んで固定する。次いで、固定された雄実に、次のフロア材の雌実を係合し、反対側の雄実を用いて釘留めして順次フロア材を固定していく。図示の例では、部屋の端部Ｔから周辺のフロア材１０を２枚固定する。なお、フロア材の固定に際し、接着剤を併用してもよい。
【００２４】
つぎに、温水シート１上にフロア材１０Ｂを１枚固定する。この工程が済むと、温水シート１はフロア材１０Ｂにより床下地材Ｓと挟まれて固定されるため、仮固定具２０を外して、順次フロア材１０Ａを固定してゆく。このように次々とフロア材を温水シート１上に固定していくが、温水シート１はしわがない状態なので固定が容易に行え、温水パイプ３がフロア材１０の溝部１５〜１７に入らない等の不具合は発生しない。この結果、フロア材１０の固定状態が安定し、歩行時のきしみ音等が発生することも防止できる。
【００２５】
なお、前記の動作説明では、フロア材１０は部屋の端部Ｔから順次固定する例を示したが、温水シート１上の仮固定具２０の無い場所で最初のフロア材を固定し、このフロア材を基準として一方側のフロア材を固定したあと、他方側のフロア材を固定するように交互に張り付けて固定するようにしてもよい。すなわち、フロア材の固定順序については、どのような順序で固定してもよい。
【００２６】
本発明の熱源シートの仮固定具は、図７に示すものでもよい。図７は本発明に係る仮固定具の他の実施形態の斜視図である。図７に示す仮固定具の他の実施形態において、仮固定具３０はアルミニウムの押出し材やプラスチック材から形成された棒状体３１を有し、断面形状は下方に開口する略コ字状をしている。そして、下端側より多数の平行溝３２がピッチＰで形成されている。このため、平行溝を除く下端面３３は２本の平坦な面となる。棒状体３１の上部の平面には留め具を貫通する固定孔３４が所定の間隔で複数形成されている。この実施形態では、仮固定具３０の下端面３３は２本の平行な小幅の面で形成されているため、熱源シートは平行する２本の面で挟まれて仮固定状態がさらに安定する。
【００２７】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、温水シートが大型の場合は、複数の仮固定具を用いて仮固定することにより、より確実にずれを防止することができる。
【００２８】
また、熱源シートとして温水シートの例を示したが、熱線ヒータ等の電気ヒータを蛇行して固定した加熱シートを使用してもよい。仮固定具は木製に限らず、プラスチック製や金属製でもよく、断面形状は特に限定せず床下地材と共に熱源シートを挟める形状であればよい。基材シートはアルミシートの上面に温水パイプを固定しただけで、被覆シートで覆わないものでもよい。
【００２９】
【発明の効果】
以上の説明から理解できるように、本発明の床暖房用フロア材の施工方法は、仮固定に際して温水シート等の熱源シートの損傷を防止することができ、仮固定状態で熱源シートがずれにくく、熱源シート上にフロア材を容易に固定することができる。また、本発明の仮固定具は、熱源シートを確実に仮固定できるため、上部へのフロア材の施工が容易となる。
【図面の簡単な説明】
【図１】（ａ）は本発明に係る床暖房用フロア材の施工方法で使用する温水シートの一実施形態の斜視図、（ｂ）はそのＡ−Ａ線断面図。
【図２】（ａ）はフロア材の正面図、（ｂ）は平行溝付フロア材の長辺方向に沿う断面図、（ｃ）は（ｂ）の背面図。
【図３】（ａ）は温水シートの一方の湾曲部に用いる旋回溝付フロア材の背面図、（ｂ）は他方の湾曲部に用いる旋回溝付フロア材の背面図。
【図４】（ａ）は図１の温水シートを仮固定する仮固定具の斜視図、（ｂ）は温水シート上に仮固定具を載置した状態の斜視図。
【図５】本発明の施工方法を示す動作説明図。
【図６】（ａ）は本発明に係る施工方法で温水シートを仮固定した状態の断面図、（ｂ）は温水シートを挟んでフロア材を固定した状態の断面図。
【図７】本発明に係る仮固定具の他の実施形態の斜視図。
【符号の説明】
Ｓ…床下地材、１…温水シート（熱源シート）、２…アルミシート（基材シート）、３…温水パイプ（熱源部）、５…直線熱源部、６…曲線熱源部、７…アルミカット部（貫通部）、１０，１０Ａ，１０Ｂ，１０Ｃ…フロア材、１５…平行溝部、１６，１７…旋回溝部、２０，３０…仮固定具、２１，３１…棒状体、２２，３２…平行溝（溝部）、２３，３３…下端面、２４，３４…固定孔、２５…留めねじ（留め具）
【図１】
2004257079.tif 000003
【図２】
2004257079.tif 000004
【図３】
2004257079.tif 000005
【図４】
2004257079.tif 000006
【図５】
2004257079.tif 000007
【図６】
2004257079.tif 000008
【図７】
2004257079.tif 000009